(57)【要約】システムは、データを通信し、前方誤り訂正符号（１０２）によって通信データを符号化する符号器を含む。データ・ランダマイザ（１０６）は、通信データをランダムなビット系列によってランダム化し、合成回路（１０４）は、通信データを既知のシンボルと、フレームに合成する。変調器（１１０）は、通信データを送信することが可能なMSK又はGMSK波形を有する通信信号を形成するための特定のマッピング・アルゴリズムに基づいて通信データを、最小シフト・キーイング又はガウス最小シフト・キーイング（MSK又はGMSK）シンボルにマッピングする。
2008533947.tif 000002
【特許請求の範囲】
【請求項１】
データを通信するシステムであって、
前方誤り訂正符号を用いて通信データを符号化する符号器と、
前記通信データをランダムなビット系列によってランダム化するデータ・ランダマイザと、
前記通信データを既知のシンボルと、フレームに合成する合成回路と、
前記合成回路からの前記通信データを最小シフト・キーイング又はガウス最小シフト・キーイング（MSK又はGMSK）シンボルに、前記通信データを送信することが可能なMSK又はGMSK波形を有する通信信号を形成するための特定のマッピング・アルゴリズムに基づいてマッピングする変調器とを備えるシステム。
【請求項２】
請求項１記載のシステムであって、符号化後に前記通信データをインタリーブするブロック・インタリーバを更に備えるシステム。
【請求項３】
請求項１記載のシステムであって、前記データ・ランダマイザは、ブロック・インタリーバが満杯になった後に通信データを抽出するよう動作するシステム。
【請求項４】
請求項１記載のシステムであって、前記通信データが送信された前記通信信号を受信するために前記MSK又はGMSK波形の主パルスにマッチングされたフィルタを有する受信器を更に備えるシステム。
【請求項５】
請求項１記載のシステムであって、ブロック又はシンボル等化器、及びクランピング回路を有し、前記通信信号を受信し、等化し、純実数シンボル（+／-1）又は純虚数シンボル（+／-ｊ）に通信データ・シンボルをクランピングする受信器を更に備えるシステム。
【請求項６】
請求項１記載のシステムであって、ブロック又はシンボル等化器、及びクランピング回路を有し、前記通信信号を受信し、等化し、実質的に固定された回転マッピングに基づいて通信データ・シンボルをクランピングする受信器を更に備えるシステム。
【請求項７】
データを通信する方法であって、
前方誤り訂正符号によって通信データを符号化する工程と、
前記通信データをランダムなビット系列によってランダム化する工程と、
前記通信データを既知のシンボルと、フレームに合成する工程と、
前記通信データを最小シフト・キーイング又はガウス最小シフト・キーイング（MSK又はGMSK）シンボルに、前記通信データを送信することが可能なMSK又はGMSK波形を有する通信信号を形成するための特定のマッピング・アルゴリズムに基づいて合成後にマッピングする工程とを備える方法。
【請求項８】
請求項７記載の方法であって、前記通信データをインタリーブする工程を更に備える方法。
【請求項９】
請求項７記載の方法であって、MSK又はGMSK波形の主パルスにマッチングされた、受信器のフィルタ内に前記通信信号を受信する工程を更に備える方法。
【請求項１０】
請求項７記載の方法であって、クランピング回路を有するブロック又はシンボル等化器内で前記通信信号を等化する工程と、純実数シンボル（+／-1）又は純虚数シンボル（+／-j）に通信データ・シンボルをクランピングする工程とを更に備える方法。
【発明の詳細な説明】
【技術分野】
【０００１】
本発明は、通信システムに関し、特に、本発明は、最小シフト・キーイング変調又はガウス最小シフト・キーイング変調を用いる通信システムに関する。
【背景技術】
【０００２】
一部のマルチバンド無線機やその他の戦術無線機は、短波（HF）帯、（衛星通信用の）超短波（VHF）帯、及び極超短波（UHF）帯において動作する。前述のマルチバンド戦術無線機のラインアップは、約２MHz乃至約５１２MHzの周波数範囲にわたって動作することが可能である。次世代無線機は、高データ・レート波形、及びより混雑していない周波数帯を収容するよう約2.0MHz乃至約2000MHz（又はそれ以上）をおそらくカバーするであろう。この短波送信モードは、MIL-STD-188-141Bなどの標準によって規定されている一方、データ変復調は、MIL-STD-188-110Bなどの標準によって規定されている。前述の開示は、その全体を本明細書及び特許請求の範囲に援用する。
【０００３】
一方、UHF標準によって、225MHz乃至約512MHzの周波数範囲（短距離見通し線（LOS）通信、並びに衛星通信（SATCOM）及びケーブルを含む）にわたって、種々の課題がもたらされる。このタイプの伝搬は、種々の気象状況、群葉やその他の障害を経由して得ることが可能である。これにより、UHF  SATCOMは、多くの政府機関にとって不可欠な通信媒体となっている。種々の指向性アンテナを用いて、送受信リンク上のアンテナ利得を向上させ、データ・レートを向上させることが可能である。このタイプの通信は通常、一例として、MIL-STD-188-181Bによって規定されている。この開示はその全体を本明細書及び特許請求の範囲に援用する。この標準は、衛星リンクを介して用いる一定振幅及び非一定振幅の波形の群を規定している。
【０００４】
統合戦術無線システム（JTRS）は、前述の標準の一部を実現し、発振器、ミクサ、スイッチャ、スプリッタ、コンバイナ及び電力増幅器を用いて種々の周波数範囲をカバーする種々の設計を有する。前述のタイプのシステムに用いる変調手法は、固定キャリア周波数における固定帯域幅チャネルを占め得るか、又は周波数ホッピングであり得る。前述のシステムは通常、記憶のない変調（位相シフト・キーイング（ＰＳＫ）、振幅シフト・キーイング（ＡＳＫ）、周波数シフト・キーイング（ＦＳＫ）、直交振幅変調（ＱＡＭ）など）、又は記憶のある変調（連続位相変調（CPM）など）を利用し、それらを、畳み込みやその他のタイプの前方誤り訂正符号と組み合わせる。
【０００５】
最小シフト・キーイング（MSK）及びガウス最小シフト・キーイング（GSMK）は、併せてMSK又はGMSKとして表され、グローバル移動体通信システム（GSM）に用いる周波数シフト・キーイング（FSK）の形態である。前述の波形を実現する回路には、連続位相周波数シフト・キーイング（FSK）変調器があり得る。
【０００６】
簡潔に述べれば、MSK変調信号は、互いに90度位相がずれた２つの合成直交信号又はチャネルとみなし得る。通常、各位相反転をキーイングして、送信する対象の2値信号の１つおきのビットを表す。キーイングされたパルス期間それぞれは、１ビット期間だけずらした、2ビット期間の持続期間を有し得るものであり、各チャネルが位相シフト・キーイングされると、1/2正弦波によって振幅変調し、加算によって合成することが可能である。２つのチャネルの正弦形状のエンベロープが互いに90度ずれているので、２つのチャネルの和によって、エンベロープ振幅が一定の信号が生じる。これは、非線形のC級増幅器によって増幅し、送信することが可能である。ガウス・インパルス応答を有するガウス・フィルタは、何れの連続位相変調に先行してシンボルを予めフィルタリングすることにも用いることが可能である。
【０００７】
MSK又はGMSK変調を有する前述の通信システムに用いる無線周波数（RF）電力増幅器の多くは、ピーク電力制限されている。例えば、平均送信電力は、波形のピーク・平均比に必要なバックオフが理由で、RF増幅器のピーク電力能力よりも数デシベル（ｄB）少ないことがあり得る。その結果、前述の課題に対処するために、一定振幅の波形が必要である。
【０００８】
MSK又はGMSK変調を用いる通信システムにおいて直面する課題は、直面するマルチパスが多くのシンボルに及ぶ場合にシステムがどのようにしてマルチパス・フェージング環境に対処するかである。フェージングは多くの場合、信号伝搬におけるばらつきによって生じる反射及び波形歪みの効果によってもたらされる。MSK又はGMSKシステムは通常、ビタビ等化器としても通常表す最尤系列推定器（MLSE）を用いてマルチパスを扱う。残念ながら、このタイプの等化器の計算量は、チャネル長の増加につれて指数関数的に増える。ビタビ等化器又はMSLE等化器によって提供され得るマルチパス能力よりもマルチパス能力が高い一定振幅の波形を設計し、開発することに対する必要性が産業界において存在している。
【発明の開示】
【発明が解決しようとする課題】
【０００９】
したがって、前述の背景に鑑みて、本発明の目的は、更なるマルチパス能力を備え、最小シフト・キー／ガウス最小シフト・キー（MSK又はGMSK）変調を用いる通信システムのマルチパス／フェージング環境をより効果的にトラッキングすることもできる、一定振幅の波形を提供することである。
【課題を解決するための手段】
【００１０】
本発明は効果的には、前述の課題を解決し、特別なマッピングを用いて生成される既知及び未知の最小シフト・キーイング又はガウス最小シフト・キーイングのシンボルを合成する。これによって、標準ブロック又はシンボル等化器を用いた波形の復調が可能になる。最小シフト・キーイング又はガウス最小シフト・キーイング変調によってスペクトル効率及び一定振幅がもたらされ、既知のシンボルによってチャネル変動の追跡が可能になる。この特別なマッピングによって、波形の復調において、受信器における標準的な等化器手法の利用が可能になる。
【００１１】
本発明によれば、既知又は未知の最小シフト・キーイング又はガウス最小シフト・キーイングのシンボルを特別なデータ・マッピングによって生成することが可能であり、標準的なブロック又はシンボル等化器によって処理される一定振幅の波形を生成する。既知のシンボルによって、マルチパス／フェージング環境におけるチャネル変動の追跡が可能になる。最小シフト・キーイング又はガウス最小シフト・キーイング変調によってスペクトル効率及び一定振幅がもたらされる。特別なマッピング・アルゴリズムによって、データ・ビットが、最小シフト・キーイング又はガウス最小シフト・キーイング・シンボルにマッピングされ、拡充された復調手法（受信器におけるブロック又はシンボル等化器など）の利用が可能になる。
【００１２】
本発明の一局面によれば、システムは、通信データを収容する通信信号を送信する送信器を含み、レート1/2畳み込み符号などの前方誤り訂正符号によって通信データを符号化する符号器を含む。変調器は、通信データを送信することが可能なMSK又はGMSK波形を有する通信シンボルを形成するために通信データを最小シフト・キーイング／ガウス最小シフト・キーイング（MSK又はGMSK）シンボルにマッピングする。受信器は、通信信号を送信器から受信し、MSK又はGMSK波形の主パルスにマッチングされたフィルタを含む。ブロック又はシンボル等化器は信号を等化する。
【００１３】
本発明の一局面では、ブロック又はシンボル等化器は、実数シンボル（+／-1）又は虚数シンボル（+／-ｊ）に通信データ・シンボルをクランピングするよう動作することが可能である。ブロック又はシンボル等化器は、奇数通信データ・シンボルを実数シンボルにクランピングし、偶数通信データ・シンボルを虚数シンボルにクランピングか、又は、逆に行うよう動作することが可能である。送信器は、符号化後に通信データをインタリーブするブロック・インタリーバも含み得る。データ・ランダマイザは、通信データをランダムなビット系列によってランダム化し、ブロック・インタリーバが満杯になった後に通信データを抽出することが可能である。合成回路は、通信データを既知のシンボルと、フレームに合成することができる。この合成回路は、通信データを未知のシンボルと、フレームに合成するよう動作することが可能である。
【００１４】
本発明の方法も記載する。
【発明を実施するための最良の形態】
【００１５】
本発明の他の目的、特徴及び利点は、添付図面に照らして検討すると、本発明の以下の詳細な説明から明らかになるであろう。
【実施例】
【００１６】
次に、添付図面を参照して本発明を以下に更に全面的に説明する。本発明の好ましい実施例を示す。しかし、本発明は、種々の多くの形態において実施することができ、本明細書記載の実施例に限定されるものとして解されるべきでない。むしろ、本開示が完全であり、当業者に本発明の範囲を完全に伝えることになるように前述の実施例を記載する。同様な符号は、本明細書を通して、同様な構成要素を表し、プライム符号は、別の実施例における同様の要素を示すために用いる。
【００１７】
本発明は効果的には、MSK又はGMSKシンボルへの、特別なデータのマッピングによって生成される既知及び未知の最小シフト・キーイング（MSK）又はガウス最小シフト・キーイング（GMSK）シンボルを用いた場合に標準的なブロック又はシンボル等化器によって復調することが可能な一定振幅の波形を生成するシステム及び方法を提供する。MSK又はGMSK変調システムはスペクトル効率及び一定振幅をもたらす。既知のシンボルによって、マルチパス／フェージング環境におけるチャネル変動のトラッキングが可能になる。 この特別なマッピングによって、データ・ビットを利用し、これをMSK又はGMSKシンボルにマッピングすることが可能になる。これによって、受信側において、ブロック又はシンボル等化器などの標準的な復調手法を用いることが可能になる。
【００１８】
本発明は、フィルタリングされた2-PSK変調（フィルタリングを用いて、2-PSK波形の帯域幅を所望の値に制限する）を用いる通信システムにおいてPF電力増幅器がピーク電力制限される場合の課題も解決する。前述の場合、平均送信電力は、波形のピーク・平均比に必要なバックオフが理由で、RF増幅器のピーク電力能力よりも数ｄB少ないことがあり得る。本発明のＭＳＫやＧＭＳＫなどの一定振幅の波形を用いることによって、好ましくは、この課題が解決される。
【００１９】
本発明は、マルチパス／フェージング環境（直面されるマルチパスが多くのシンボルに及ぶ）において通信システムにおいて対処しようとする、産業界において直面される課題も解決する。MSK又はGMSK変調システムは通常、ビタビ等化器としても知られている最尤系列推定器（MLSE）を用いてマルチパスを扱う。しかし、この手法の計算量は、チャネル長の増加につれて指数関数的に増加する。本発明のシステム及び方法は、マルチパス／フェージング環境を効果的にトラッキングすることができる、マルチパス特性がより効率的な一定振幅の波形を実現する。
【００２０】
説明の目的で、本発明に用いることが可能な符号化、インタリーブ、及び例示的な無線システムの特定の背景情報を次いで、図１に関して記載する。
【００２１】
説明の目的のみで、本発明から恩恵を受けることになる通信システムの例の簡単な説明を、図２に示す非限定的な例に関して記載する。通信システム５０のこの概要レベルのブロック図は、本発明に用いるうえで修正することが可能な基地局部分５２及び無線メッセージ端末を含む。基地局部分５２は、VHF網６４又はHF網６６（いくつかのVHF無線機６８及びHF無線機７０それぞれ、及び無線機６８，７０に接続されたパソコン・ワークステーション７２をそれぞれが含む）に無線リンクを介して音声又はデータを通信し、伝送するVHF無線機６０及びHF無線機６２を含む。HF無線機は、復調器回路62a及び適切な畳み込み符号器回路62b、ブロック・インタリーバ62c、データ・ランダマイザ回路62d、データ及びフレーミング回路62e、変調回路62f、マッチド・フィルタ回路62g、適切なクランピング装置を備えたブロック又はシンボル等化器回路62h、デインタリーバ及び復号器回路62i及びモデム62jを非限定的な例として含み得る。前述及びその他の回路は、本発明に必要な機能を行うよう動作する。他の例証的な無線機は同様な回路を有し得る。
【００２２】
基地局部分５２は、PABX８２に接続する公衆交換電話網（PSTN）８０への地上通信線接続を含む。衛星地上局などの衛星インタフェース８４は、無線ゲートウェイ86a、86bを構成するプロセッサに接続するＰＡＢＸ８２に接続する。これらは、ＶＨＦ無線機６０又はＨＦ無線機６２それぞれに相互接続する。プロセッサはローカル・エリア・ネットワークを介してＰＡＢＸ８２及び電子メール・クライアント９０に接続される。無線機は、適切な信号生成器及び変調器を含む。
【００２３】
イーサネット（登録商標）／TCP-IPローカル・エリア・ネットワークは「無線」電子メール・サーバとして動作することが可能である。電子メール・メッセージは、無線リンク及びローカル・エア・ネットワークを介して、第２世代プロトコル／波形としてのSTANAG-5066（この開示はその全体を本明細書及び特許請求の範囲に援用する）を用いて、かつ、当然、好ましくは、第３世代の相互運用性標準（STANAG-4538。この開示はその全体を本明細書及び特許請求の範囲に援用する）によって送出することが可能である。相互運用性標準（FED―STD-1052。この開示はその全体を本明細書及び特許請求の範囲に援用する）は、レガシー無線装置に用いることが可能である。本発明において用いることが可能な機器の例には、ハリス社（フロリダ州メルボルン）によって製造された種々の無線ゲートウェイ及び無線機がある。この機器は、非限定的な例として、RF５８００、５０２２、７２１０、５７１０、５２８５、並びに、PRC１１７及び１３８シリーズの機器及び装置を含み得る。
【００２４】
前述のシステムは、最大9600bpsのレートで長距離HF無線回線の伝送に供する、RF-5710A短波（HF）モデム、及び（STANAG4539（この開示はその全体を本明細書及び特許請求の範囲に援用する）として知られているNATO標準によって動作可能であり得る。モデム技術に加えて、前述のシステムは、高ストレス戦術チャネル（STANAG4538やSTANAG5066など。この開示はその全体を本明細書及び特許請求の範囲に援用する）のために設計され、改良されたデータリンク・プロトコル・セットを用いる無線電子メール製品を用いることが可能である。ISBモードに設定された無線機及び固定データ・レートに設定されたHFモデムの場合、最高19200bpsの固定された非適応データ・レートを用いることも可能である。符号合成法及びARQを用いることが可能である。
【００２５】
図２は、本発明のシステム及び方法に用いることが可能な工程の例の概要レベルのフローチャートである。説明の目的で、ブロックは１００シリーズに始まる。処理が始まり（ブロック１００）、通信データが、前方誤り訂正符号（例えば、レート1/2畳み込み符号）によって符号化される（ブロック１０２）。通信データは、ブロック・インタリーブされ（ブロック１０４）、ランダム化される（ブロック１０６）。既知のデータ及びフレーミングが挿入され（ブロック１０８）、データ・ビットがMSK又はGMSKシンボルにマッピングされる（ブロック１１０）。通信信号が送信され（ブロック１１２）、MSK又はGMSKマッチド・フィルタにおいて受信される（ブロック１１４）。フレーム・サンプルが処理され（ブロック１１６）、等化及びクランピングが生じる（ブロック１１８）。通信データはインタリーブ解除され（ブロック１２０）、復号化される（ブロック１２２）。処理は終了する（ブロック１２４）。
【００２６】
図３は、本発明によって用いることが可能な送信器回路２００の例のブロック図である。図示したように、送信デ―タが、例えば、レート1/2畳み込み符号器回路２０２内で前方誤り訂正（FEC）符号を用いて受信され、次いで、ブロック・インタリーバ回路２０４内でインタリーブされる。しかし、本発明は何れの前方誤り訂正符号を用いることも可能である。データが、次の処理データによってデータ・ランダマイザ回路２０６内でランダム化される。既知のデータ及びフレーミングが、合成回路２０８内で挿入され、後に、変調器回路２１０内で変調され、MSK又はGMSKマッピング処理される。送信波形は一定振幅を有する。
【００２７】
前述の通り、本発明では、既知及び未知のデータ・シンボルが、MSK又はGMSK変調と、マッピング又は変調器回路２１０において合成される。図３に示すシステム例では、送信（ユーザ）データが、レート1/2畳み込み符号器２０２によって符号化され、これに、ブロック・インタリーバ２０４が続く。インタリーバ２０４が満杯になると、データ・ビットがインタリーバから抽出され、データ・ランダマイザ２０６に転送される。この論理及び処理回路２０６は、入力ビットと、ランダムなビット系列との「XOR」演算を行う。ランダム化の後、データ・ビットが、コンバイナ回路２１０において既知のシンボルとフレームに合成される（例えば、２０の未知ビット（すなわち、データ・ビット）及び２０の既知ビットを合成して４０ビット・フレームを生成する）。信号は特殊変調回路２１０に転送される。特殊変調回路２１０では、ビットがMSK又はGMSKシンボルにマッピングされる。
【００２８】
図４は、MSK又はGMSKシンボルを生成するためにデータ・ビットに対して行う特別なマッピングを示すグラフである。ゼロ及び１の遷移を示す。１が0になり、逆も同様であるマッピングも可能である。
【００２９】
レート1/2前方誤り訂正（FEC）符号、及びこの非限定的な例において強調されている特定のフレーム形式は、説明の目的で示しているに過ぎず、別のフレーム・サイズを、波形の所望のマルチパス／フェージング特性に応じて用いることが可能である。
【００３０】
本発明は、現場において本願のシステムが適切に動作し、機能するためには、従来の受信器における軽微な修正のみが必要であるために効果的でもある。図５は、実現することが可能な、従来の受信器２５０への基本的な変更を示す。１つの変更によって標準的なディジタル受信フィルタ（通常、MSK又はGMSK波形の主パルスにマッチングしたフィルタ２５２による平方根ナイキスト・フィルタである）を置き換えることになる。受信信号がマッチド・フィルタ２６２において処理された後、フレーム標本が回路２５４において処理され、信号が、等化器２５６内でブロック又はシンボル等化され、ブロック２５８によって示す後続回路におけるインタリーブ解除及び復号化がこれに続く。
【００３１】
本発明の別の受信器修正には、現在処理されているフレーム内のシンボルの場所に応じて、純実数シンボル（+／-１）にクランプするか、又は純虚数シンボル（+／-ｊ）にクランプするための、ブロック又はシンボル等化器256におけるクランピング装置256aへの修正がある。クランピングは種々の手段によって達成することが可能である。
【００３２】
クランピング装置256aについて前述した例では、MSK又はGMSK変調器の場合に0度の開始位相が存在しており、フレーム内のビットの数が偶数であるとする。この変調手法の例を、レート1/2畳み込みFEC、4.8秒インタリーバ（US  MIL-STD-188-１１０B）による）、２０の未知（すなわち、データ）ビット、２０の既知ビットのフレーム・サイズ、２４００シンボル／秒のシンボル・レート、及び３０００Hzの雑音帯域のシミュレーション、のパラメータを用いてシミュレートすることが可能である。
【００３３】
送信電力スペクトルは、標準的なPSK、MSK及びGMSKについて算出され、図６のグラフに示す。
【００３４】
このグラフに示す３つの手法の９９％電力帯域、及びピーク電力／平均電力比は、
PSK  １．１７（２８０３Hz）-３．６ｄB  PEP／AVE、
MSK  １．２７（３０５４Hz）-0ｄB  PEP／AVE、
GMSK  ０．９０（２１８０Hz）-0ｄB  PEP／AVE
GMSK手法によってもたらされる対応する帯域幅削減は、いくつかの種々の点で有利であり得る。シンボル・レートを増加することが可能であり、それにより、伝送時間を低減することによって、より速いスループットが提供される。あるいは、更なる既知のシンボルを、改良されたチャネル・トラッキングに挿入することが可能である。
【００３５】
図７及び図８は、新たな一定振幅の等化波形（１つはMSKを用い、１つはGMSKを用いる）の特性を示す（US-MIL-STD-188-110Bの単一キャリア・フィルタリングされた2-PSK  600bps長のインタリーバ波形と比較した）グラフである。図示したように、図７は、3KHzの例におけるMSKビット誤りレート（BER）特性、対、信号対雑音比（SNR）を示す一方、図８は、別の3kHzの例におけるSNRに対するGMSK  BER特性を示す。
【００３６】
2パス・チャネルは、2ms離された、２つの非フェージングの、等しい電力パスである。３パス・チャネルは、各パス間で1msの隔たりを有する３つの非フェージングの同等の電力パス（0、1、2ms）である。劣悪なチャネルは、2msだけ離された２つの同等の電力パスであり、各パス・フェージングが1Hzのレートで無関係であるCCIRの劣悪なチャネルである。
【図面の簡単な説明】
【００３７】
【図１】非限定的な例としての、本発明に用いることが可能な通信システムのブロック図である。
【図２】本発明の例を実施するうえで用いる基本工程を示す概要レベルのフローチャートである。
【図３】本発明による、一定振幅の等化波形の生成に用いる送信器回路のブロック図である。
【図４】本発明による、MSK／GMSKシンボルの生成のための、データ・ビットへのマッピングの結果の例を示すグラフである。
【図５】本発明の例による、一定振幅の等化波形の受信及び処理に用いる受信器回路の基本構成部分を示すブロック図である。
【図６】本発明の例による、標準的なPSK、MSK及びGMSK直交変調について算出される送信電力スペクトルの例を示すグラフである。
【図７】本発明の3KHzの例におけるMSKビット誤りレート特性を信号対雑音比に対して示すグラフである。
【図８】本発明の3KHzの例におけるGMSKビット誤りレート特性を信号対雑音比に対して示す、図６と同様のグラフである。
【図１】
2008533947.tif 000003
【図２】
2008533947.tif 000004
【図３】
2008533947.tif 000005
【図４】
2008533947.tif 000006
【図５】
2008533947.tif 000007
【図６】
2008533947.tif 000008
【図７】
2008533947.tif 000009
【図８】
2008533947.tif 000010
【手続補正書】
【提出日】平成19年1月23日(2007.1.23)
【手続補正１】
【補正対象書類名】特許請求の範囲
【補正対象項目名】全文
【補正方法】変更
【補正の内容】
【特許請求の範囲】
【請求項１】
データを通信するシステムであって、
前方誤り訂正符号を用いて通信データを符号化する符号器と、
前記通信データをランダムなビット系列によってランダム化するデータ・ランダマイザと、
前記通信データを既知のシンボルと、フレームに合成する合成回路と、
前記合成回路からの前記通信データを最小シフト・キーイング又はガウス最小シフト・キーイング（MSK又はGMSK）シンボルに、前記通信データを送信することが可能なMSK又はGMSK波形を有する通信信号を形成するための特定のマッピング・アルゴリズムに基づいてマッピングする変調器とを備え、マルチパス／フェージング環境におけるチャネル変動の追跡を前記既知のシンボルが可能にするシステム。
【請求項２】
請求項１記載のシステムであって、符号化後に前記通信データをインタリーブするブロック・インタリーバを更に備えるシステム。
【請求項３】
請求項１記載のシステムであって、前記データ・ランダマイザは、ブロック・インタリーバが満杯になった後に通信データを抽出するよう動作するシステム。
【請求項４】
請求項１記載のシステムであって、前記通信データが送信された前記通信信号を受信するために前記MSK又はGMSK波形の主パルスにマッチングされたフィルタを有する受信器を更に備えるシステム。
【請求項５】
請求項１記載のシステムであって、ブロック又はシンボル等化器、及びクランピング回路を有し、前記通信信号を受信し、等化し、純実数シンボル（+／-1）又は純虚数シンボル（+／-ｊ）に通信データ・シンボルをクランピングする受信器を更に備えるシステム。
【請求項６】
請求項１記載のシステムであって、ブロック又はシンボル等化器、及びクランピング回路を有し、前記通信信号を受信し、等化し、実質的に固定された回転マッピングに基づいて通信データ・シンボルをクランピングする受信器を更に備えるシステム。
【請求項７】
データを通信する方法であって、
前方誤り訂正符号によって通信データを符号化する工程と、
前記通信データをランダムなビット系列によってランダム化する工程と、
マルチパス／フェージング環境におけるチャネル変動を追跡するために、前記通信データを既知のシンボルと、フレームに合成する工程と、
前記通信データを最小シフト・キーイング又はガウス最小シフト・キーイング（MSK又はGMSK）シンボルに、前記通信データを送信することが可能なMSK又はGMSK波形を有する通信信号を形成するための特定のマッピング・アルゴリズムに基づいて合成後にマッピングする工程とを備える方法。
【請求項８】
請求項７記載の方法であって、前記通信データをインタリーブする工程を更に備える方法。
【請求項９】
請求項７記載の方法であって、MSK又はGMSK波形の主パルスにマッチングされた、受信器のフィルタ内に前記通信信号を受信する工程を更に備える方法。
【請求項１０】
請求項７記載の方法であって、クランピング回路を有するブロック又はシンボル等化器内で前記通信信号を等化する工程と、純実数シンボル（+／-1）又は純虚数シンボル（+／-j）に通信データ・シンボルをクランピングする工程とを更に備える方法。
【国際調査報告】
2008533947.tif 000011